(57)【要約】  蓄電装置１００は、ケース１と、端子５と、電流遮断装置３０を備える。端子５は、ケース１の端子壁９に形成された開口１１を介してケース１の内外に通じている。端子５は、柱状部１４と、基底部１５を有する。端子５と端子壁９との間には、端子５と端子壁９との間をシールする第１シール部分１９ａを有する絶縁性の第１シール部材１９が配置されており、第１シール部材１９は柱状部１４の周囲を一巡している。端子５と端子壁９との間の空間のうち第１シール部分１９ａよりもケース内部側の第１空間２０には、柱状部１４の周囲を一巡する絶縁性の第１絶縁部材３６が配置されている。第１空間２０には、第１空間２０のケース外部側の端面からケース内部側の端面まで、第１シール部材１９と第１絶縁部材３６の少なくとも一方が配置されている。
2015174165.tif 000002
【特許請求の範囲】
【請求項１】
正極電極及び負極電極を備えている電極組立体と、電解液と、が収容可能なケースと、
前記ケースの端子壁に形成された開口を介して前記ケースの内外に通じている端子と、
前記ケース内に収容されており、前記端子と前記正極電極、又は前記端子と前記負極電極に電気的に接続されていると共に、前記端子と前記正極電極又は前記負極電極とを導通状態から非導通状態に切換える導電性部材を有する電流遮断装置と、を備えており、
前記端子は、前記開口に挿通された柱状部と、前記柱状部の一端に配置されており前記ケースの内部に位置する基底部と、を有しており、
前記基底部は、前記端子壁を平面視した状態で前記開口より大きく、かつ、前記導電性部材と電気的に接続されており、
前記端子と前記端子壁との間には、前記端子と前記端子壁の双方と当接することで、前記端子と前記端子壁との間をシールする第１シール部分を有する絶縁性の第１シール部材が配置されており、
前記第１シール部材は前記柱状部の周囲を一巡しており、
前記端子と前記端子壁との間の空間のうち前記第１シール部分よりもケース内部側の第１空間には、前記柱状部の周囲を一巡する絶縁性の第１絶縁部材が配置されており、
前記第１空間には、前記第１空間のケース外部側の端面からケース内部側の端面まで、前記第１シール部材と前記第１絶縁部材の少なくとも一方が配置されている、蓄電装置。
【請求項２】
前記第１シール部材は、前記端子壁と前記端子の一方と前記第１絶縁部材とが対向する空間において、前記端子壁と前記端子の一方と前記第１絶縁部材の双方と当接することで、前記端子壁と前記端子の一方と前記第１絶縁部材との間をシールする第２シール部分を有する、請求項１に記載の蓄電装置。
【請求項３】
前記第２シール部分が占める範囲では、前記第１絶縁部材と、前記端子壁と、前記端子の少なくとも１つに、前記第１シール部材側に突出する第１突起が形成されており、
前記第１突起は、前記第１シール部材と当接している、請求項２に記載の蓄電装置。
【請求項４】
前記端子壁を平面視したときに、前記第１シール部分が占める範囲のうち前記端子と前記端子壁とが重なる範囲では、前記端子又は前記端子壁の一方に、前記端子又は前記端子壁の他方に向かって延びる第２突起が形成されており、
前記第２突起は、前記第１シール部材と当接している、請求項１〜３のいずれか一項に記載の蓄電装置。
【請求項５】
前記第１シール部材は、前記第１絶縁部材と前記端子壁又は前記端子とが対向する空間において、前記第１絶縁部材と前記端子壁又は前記端子の双方と当接することで、前記第１絶縁部材と前記端子壁又は前記端子との間をシールする第２シール部分を有しており、
前記第２シール部分が占める範囲では、前記第１絶縁部材と、前記端子壁と、前記端子の少なくとも１つに、前記第１シール部材側に突出する第１突起が形成されており、
前記第１突起は、前記第１シール部材と当接しており、
前記第１突起と前記第２突起のうち、前記端子の前記柱状部に近接している一方の突起と当接している部分における前記第１シール部材の圧縮率は、前記柱状部から離間している他方の突起と当接している部分における前記第１シール部材の圧縮率よりも大きい、請求項４に記載の蓄電装置。
【請求項６】
正極電極及び負極電極を備えている電極組立体と、電解液と、が収容可能なケースと、
前記ケースの端子壁に形成された開口を介して前記ケースの内外に通じている端子と、
前記ケース内に収容されており、前記端子と前記正極電極、又は前記端子と前記負極電極に電気的に接続されていると共に、前記端子と前記正極電極又は前記負極電極とを導通状態から非導通状態に切換える導電性部材を有する電流遮断装置と、を備えており、
前記端子は、前記開口に挿通された柱状部と、前記柱状部の一端に配置されており前記ケースの内部に位置する基底部と、を有しており、
前記基底部は、前記端子壁を平面視した状態で前記開口より大きく、かつ、前記導電性部材と電気的に接続されており、
前記端子と前記端子壁との間には、前記端子と前記端子壁の双方と当接することで、前記端子と前記端子壁との間をシールする第３シール部分を有する絶縁性の第２シール部材が配置されており、
前記第２シール部材は前記柱状部の周囲を一巡しており、
前記端子と前記端子壁との間の空間のうち前記第３シール部分よりもケース内部側の第２空間には、前記柱状部の周囲を一巡する絶縁性の第２絶縁部材が配置されており、
前記第２絶縁部材と前記端子壁又は前記端子とが対向する空間には、前記第２絶縁部材と前記端子壁又は前記端子の双方と当接することで、前記第２絶縁部材と前記端子壁又は前記端子との間をシールし、前記柱状部の周囲を一巡する第４シール部分を有する絶縁性の第３シール部材が配置されており、
前記第２空間には、前記第２空間のケース外部側の端面からケース内部側の端面まで、前記第２シール部材と、前記第３シール部材と、前記第２絶縁部材の少なくともいずれかが配置されている、蓄電装置
【請求項７】
前記端子は、前記柱状部の、前記基底部が配置されている側とは反対側に配置されており、前記ケースの外部に位置すると共に前記柱状部の前記反対側より軸直方向外側に屈曲して前記端子を前記端子壁に固定する固定部を有しており、
前記第１シール部分又は前記第３シール部分は、前記端子壁を平面視した状態で前記端子と前記端子壁とが重なる範囲で、かつ、前記固定部が占める範囲に位置している、請求項１〜６のいずれか一項に記載の蓄電装置。
【請求項８】
前記端子は、前記ケースの外部に位置するナットにより前記端子壁に締め付け固定されており、
前記第１シール部分又は前記第３シール部分は、前記端子壁を平面視した状態で前記端子と前記端子壁とが重なる範囲で、かつ、前記ナットが占める範囲に位置している、請求項１〜６のいずれか一項に記載の蓄電装置。
【請求項９】
請求項１〜８のいずれかに記載の蓄電装置を複数備え、それら複数の蓄電装置が直列接続されている蓄電装置モジュール。
【発明の詳細な説明】
【技術分野】
【０００１】
本明細書に開示する技術は、電流遮断装置を備えている蓄電装置に関する。
【背景技術】
【０００２】
蓄電装置の技術分野では、蓄電装置が過充電されたり、内部で短絡が発生したりしたときに、端子間（正極端子と負極端子）に流れる電流を遮断する電流遮断装置の開発が進められている。電流遮断装置は、端子と集電タブ（正極集電タブ又は負極集電タブ）の間に配置される。特開２０１２−３８５２９号公報には、集電タブに接続された通電板と、端子に接続された変形板とが接合された電流遮断装置が開示されている。蓄電装置のケース内の圧力が上昇して所定値を超えると、電流遮断装置が動作して変形板が通電板から離反する。この結果、端子と通電板との間の電流が遮断される。
【発明の概要】
【発明が解決しようとする課題】
【０００３】
特開２０１２−３８５２９号公報の蓄電装置では、ケースの端子壁に形成された開口に端子が固定されている。端子と端子壁との間には絶縁性のシール部材及び絶縁部材が配置されている。シール部材は、端子と端子壁に当接しており、両者の間をシールしている。絶縁部材は、シール部材よりもケース内部側に、シール部材から間隔を空けて配置されている。このため、シール部材と絶縁部材との間には空間が形成されている。当該空間では、端子と端子壁とが直接対向している。ここで、ケース内の電解液が、絶縁部材と端子及び／又は絶縁部材と端子壁との間の隙間を伝って、当該空間に浸入する場合がある。電流遮断装置が動作した後に、当該空間が電解液で満たされた状態で端子と端子壁との間に高電圧が印加されると、当該空間に満たされた電解液によって端子と端子壁とが短絡する可能性がある。特に、複数の蓄電装置が直列接続された蓄電装置モジュールでは、１つの電流遮断装置が動作すると端子と端子壁との間に極めて高い電圧が印加されるため、端子と端子壁とが短絡する可能性がより高くなる。【０００４】
本明細書では、端子と端子壁とが短絡することを抑制する技術を提供する。
【課題を解決するための手段】
【０００５】
本明細書が開示する蓄電装置は、ケースと、端子と、電流遮断装置と、を備える。ケースは、正極電極及び負極電極を備えている電極組立体と、電解液と、を収容可能としている。端子は、ケースの端子壁に形成された開口を介してケースの内外に通じている。電流遮断装置は、ケース内に収容されており、端子と正極電極、又は端子と負極電極に電気的に接続されていると共に、端子と正極電極又は負極電極とを導通状態から非導通状態に切換える導電性部材を有する。端子は、開口に挿通された柱状部と、柱状部の一端に配置されておりケースの内部に位置する基底部と、を有する。基底部は、端子壁を平面視した状態で開口より大きく、かつ、導電性部材と電気的に接続されている。端子と端子壁との間には、端子と端子壁の双方と当接することで、端子と端子壁との間をシールする第１シール部分を有する絶縁性の第１シール部材が配置されており、第１シール部材は柱状部の周囲を一巡している。端子と端子壁との間の空間のうち第１シール部分よりもケース内部側の第１空間には、柱状部の周囲を一巡する絶縁性の第１絶縁部材が配置されている。第１空間には、第１空間のケース外部側の端面からケース内部側の端面まで、第１シール部材と第１絶縁部材の少なくとも一方が配置されている。【０００６】
上記の蓄電装置では、第１シール部材の第１シール部分によって、端子と端子壁との間がシールされている。このため、ケース内の電解液が第１シール部分よりもケース外部の空間に漏出することが抑制される。また、上記の蓄電装置では、端子と端子壁との間の空間のうち第１シール部分よりもケース内部側の第１空間において、第１シール部材と第１絶縁部材の少なくとも一方が配置されることで端子と端子壁とが直接対向することがない。従って、電流遮断装置の動作後に端子と端子壁との間に高電圧が印加されても、端子と端子壁とが短絡することを抑制することができる。なお、「ケース内部側」とは、ケースの外側と内側とを連通する空間においてケースの外側から内側に向かう方向を表し、「ケース外部側」とは、ケースの外側と内側とを連通する空間においてケースの内側から外側に向かう方向を表す。したがって、端子壁と端子の間の空間（ケースの内外を連通する空間）がケース内を端子壁と平行に延びている場合は、端子壁の開口から離間する方向が「ケース内部側」となり、開口に近接する方向が「ケース外部側」となる。また、「対向」とは、２つの部材が間隔をおいて互いに向き合っている状態を表し、「当接」とは、２つの部材が接触している状態を表す。【０００７】
また、本明細書が開示する蓄電装置は、ケースと、端子と、電流遮断装置と、を備える。ケースは、正極電極及び負極電極を備えている電極組立体と、電解液と、を収容可能としている。端子は、ケースの端子壁に形成された開口を介してケースの内外に通じている。電流遮断装置は、ケース内に収容されており、端子と正極電極、又は端子と負極電極に電気的に接続されていると共に、端子と正極電極又は負極電極とを導通状態から非導通状態に切換える導電性部材を有する。端子は、開口に挿通された柱状部と、柱状部の一端に配置されておりケースの内部に位置する基底部と、を有する。基底部は、端子壁を平面視した状態で開口より大きく、かつ、導電性部材と電気的に接続されている。端子と端子壁との間には、端子と端子壁の双方と当接することで、端子と端子壁との間をシールする第３シール部分を有する絶縁性の第２シール部材が配置されている。第２シール部材は柱状部の周囲を一巡している。端子と端子壁との間の空間のうち第３シール部分よりもケース内部側の第２空間には、柱状部の周囲を一巡する絶縁性の第２絶縁部材が配置されている。第２絶縁部材と端子壁又は端子とが対向する空間には、第２絶縁部材と端子壁又は端子の双方と当接することで、第２絶縁部材と端子壁又は端子との間をシールし、柱状部の周囲を一巡する第４シール部分を有する絶縁性の第３シール部材が配置されている。第２空間には、第２空間のケース外部側の端面からケース内部側の端面まで、第２シール部材と、第３シール部材と、第２絶縁部材の少なくともいずれかが配置されている。【０００８】
上記の蓄電装置では、端子と端子壁との間の空間のうち第３シール部分よりもケース内部側の第２空間には、第２シール部材と、第３シール部材と、第２絶縁部材のいずれかが配置されることで、端子と端子壁とが直接対向することがなく、端子と端子壁とが短絡することを抑制することができる。また、上記の蓄電装置では、第３シール部材の第４シール部分が、第２シール部材の第３シール部分よりもケース内部側で、端子壁と端子の一方と第２絶縁部材との間をシールしている。このため、ケース内の電解液が第４シール部分よりもケース外部側に漏出することが抑制される。従って、第２空間のうち第４シール部分よりもケース外部側の空間において、端子と端子壁とが電解液を介して接触することが抑制され、端子と端子壁とが短絡することをより抑制できる。また、電解液が第２絶縁部材と端子又は端子壁との間などを通って第２絶縁部材よりもケース外部側に漏出しても、第２シール部材の第３シール部分により、電解液が第３シール部分よりもケース外部の空間に漏出することが抑制される。【０００９】
本明細書が開示する技術の詳細、及び、さらなる改良は、発明を実施するための形態、及び、実施例にて詳しく説明する。
【図面の簡単な説明】
【００１０】
【図１】実施例１の蓄電装置の縦断面図。
【図２】図１の負極端子を構成するかしめ端子近傍の部分拡大図。
【図３】実施例２の蓄電装置の負極端子を構成するかしめ端子近傍の部分拡大図。
【図４】実施例３の蓄電装置の負極端子を構成するかしめ端子近傍の部分拡大図。
【図５】実施例４の蓄電装置の負極端子近傍の部分拡大図。
【図６】実施例５の蓄電装置の負極端子近傍の部分拡大図。
【図７】実施例６の蓄電装置の負極端子近傍の部分拡大図。
【発明を実施するための形態】
【００１１】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１２】
本明細書が開示する蓄電装置では、第１シール部材は、端子壁と端子の一方と第１絶縁部材とが対向する空間において、端子壁と端子の一方と第１絶縁部材の双方と当接することで、端子壁と端子の一方と第１絶縁部材との間をシールする第２シール部分を有していてもよい。この構成によると、第２シール部分によって端子壁と端子の一方と第１絶縁部材との間がシールされるため、第１絶縁部材と端子壁との間をケース外部側に流れる電解液と、第１絶縁部材と端子との間をケース外部側に流れる電解液とが接触することが抑制される。このため、第１空間において端子と端子壁とが電解液を介して接触することが抑制され、端子と端子壁との短絡をより抑制することができる。
【００１３】
本明細書が開示する蓄電装置では、特徴１に加えて、第２シール部分が占める範囲では、第１絶縁部材と、端子壁と、端子の少なくとも１つに、第１シール部材側に突出する第１突起が形成されていてもよい。第１突起は、第１シール部材と当接していてもよい。この構成によると、第２シール部分のシール力は、第１突起が当接している部分において増大する。このため、第１突起が形成されない構成と比較して、電解液が第２シール部分よりもケース外部側に流出することをより抑制することができる。また、第２シール部分は、第１突起により局所的に圧縮される。このため、第２シール部分の全体が圧縮される構成と比較して、端子を端子壁に固定する際の第２シール部分の反発力を低減できる。この構成によると、端子壁と端子の一方と第１絶縁部材との間のシール力を増大しながら、端子を端子壁に比較的に容易に固定することができる。
【００１４】
本明細書が開示する蓄電装置では、端子壁を平面視したときに第１シール部分が占める範囲のうち端子と端子壁とが重なる範囲において、端子又は端子壁の一方に、端子又は端子壁の他方に向かって延びる第２突起が形成されていてもよい。第２突起は、第１シール部材と当接していてもよい。この構成によると、第１シール部分のシール力は、第２突起が当接している部分において増大する。このため、第２突起が形成されない構成と比較して、電解液がケース外部の空間に漏出することをより抑制できる。また、第１シール部分が第２突起により局所的に圧縮されることにより、第１シール部分の全体が圧縮される構成と比較して、端子を端子壁に固定する際の第１シール部分の反発力を低減できる。この構成によると、端子と端子壁との間のシール力を増大しながら、端子を端子壁に比較的に容易に固定することができる。
【００１５】
本明細書が開示する蓄電装置では、特徴３に加えて、第１シール部材は、第１絶縁部材と端子壁又は端子とが対向する空間において、第１絶縁部材と端子壁又は端子の双方と当接することで、第１絶縁部材と端子壁又は端子との間をシールする第２シール部分を有していてもよい。第２シール部分が占める範囲では、第１絶縁部材と、端子壁と、端子の少なくとも１つに、第１シール部材側に突出する第１突起が形成されていてもよい。第１突起は、第１シール部材と当接していてもよい。第１突起と第２突起のうち、端子の柱状部に近接している一方の突起と当接している部分における第１シール部材の圧縮率は、柱状部から離間している他方の突起と当接している部分における第１シール部材の圧縮率よりも大きくてもよい。端子を端子壁に固定する際の第１シール部材の反発力は、端子固定時の第１シール部材の圧縮率が同じ場合は、柱状部に近接するにつれて小さくなる。このため、端子固定時の第１シール部材の反発力の増大を抑制しながら、柱状部に近接する突起の部分におけるシール力を増大させることができる。
【００１６】
本明細書が開示する蓄電装置では、端子は、柱状部の、基底部が接続されている側とは反対側に接続されており、ケースの外部に位置すると共に柱状部の反対側より軸直方向外側に屈曲して端子を端子壁に固定する固定部を有していてもよい。第１シール部分又は第３シール部分は、端子壁を平面視した状態で端子と端子壁とが重なる範囲で、かつ、固定部が占める範囲に位置していてもよい。この構成によると、端子を端子壁に固定する際に固定部が端子壁に及ぼす荷重の方向と、端子と端子壁とをシールするための圧縮力の方向とが同一となり、第１シール部分又は第３シール部分は、端子と端子壁との間を強固にシールすることができる。
【００１７】
本明細書が開示する蓄電装置では、端子は、ケースの外部に位置するナットにより端子壁に締め付け固定されていてもよい。第１シール部分又は第３シール部分は、端子壁を平面視した状態で端子と端子壁とが重なる範囲で、かつ、ナットが占める範囲に位置していてもよい。この構成によると、端子を端子壁に締め付け固定する際にナットが端子壁に及ぼす締め付け力の方向と、端子と端子壁とをシールするための圧縮力の方向とが同一となり、第１シール部分又は第３シール部分は、端子と端子壁との間を強固にシールすることができる。
【００１８】
また、本明細書は、上記の蓄電装置を複数備え、それら複数の蓄電装置が直列接続されている蓄電装置モジュールを開示する。この蓄電装置モジュールでは、蓄電装置モジュールを構成する各蓄電装置の第１空間又は第２空間において、端子と端子壁とが直接対向することがないように構成されている。このため、電流遮断装置の動作後に、端子と端子壁との間に高電圧が印加されても、端子と端子壁とが短絡することを抑制することができる。
【実施例１】
【００１９】
実施例１の蓄電装置１００について図１〜２を参照して説明する。蓄電装置１００は、二次電池の一種であるリチウムイオン二次電池である。図１に示すように、蓄電装置１００は、ケース１と、電極組立体３と、かしめ端子５、７と、電流遮断装置３０を備えている。ケース１は、金属製であり、略直方体形状である。ケース１の内部には、電極組立体３と電流遮断装置３０が収容されている。電極組立体３は、負極電極と正極電極を備えている。負極集電タブ４３が負極電極に固定されており、正極集電タブ４５が正極電極に固定されている。ケース１の内部には、電解液が注入されている。なお、かしめ端子５は「端子」の一例に相当する。【００２０】
ケース１には、開口１１、１３が形成されている。以下では、ケース１において、開口１１、１３が形成されている壁を特にケース上壁９と称する。即ち、電極組立体３に対してケース上壁９が位置している側が上側であり、電極組立体３に対してケース上壁９が位置している側と反対側が下側である。かしめ端子５は、開口１１を介してケース１の内外に通じており、かしめ端子７は、開口１３を介してケース１の内外に通じている。かしめ端子５の下端はケース１の内部に位置しており、電流遮断装置３０（後述）に接続されている。電流遮断装置３０は、接続端子２３及び負極リード２５を介して、負極集電タブ４３に接続されている。負極リード２５は、絶縁シート２７によってケース上壁９から絶縁されている。一方、かしめ端子７の下端はケース１の内部に位置しており、正極リード４１を介して正極集電タブ４５に接続されている。正極リード４１は、絶縁シート２９によってケース上壁９から絶縁されている。なお、ケース上壁９は「端子壁」の一例に相当する。【００２１】
ケース上壁９の上面には、樹脂製のガスケット６２、６３が配置されている。ガスケット６２は、ケース上壁９より上方に突出した突出部６６と、ケース上壁９に沿って伸びる平板部６８を有する。突出部６６はケース上壁９の中央側に配置され、平板部６８はケース上壁９の開口１１側に配置される。ガスケット６２の上面には、外部端子６０が、ガスケット６２の上面の形状に沿って配置されている。ボルト６４の頭部は、突出部６６に形成された有底穴６２ａに配置されている。ボルト６４の軸部は、外部端子６０の開口を通って上方に突出している。かしめ端子５、外部端子６０及びボルト６４は、互いに電気的に接続されており、負極端子を構成している。ガスケット６３、外部端子６１及びボルト６５の構成は上述したガスケット６２、外部端子６０及びボルト６４の構成と同様である。かしめ端子７、外部端子６１及びボルト６５は、互いに電気的に接続されており、正極端子を構成している。【００２２】
ここで、図２を参照してかしめ端子５について説明する。図２は、図１の二点鎖線部２００ａの拡大図を示す。かしめ端子５は、円筒部１４、基底部１５及び固定部１６を有する。円筒部１４は円筒形状をしており、開口１１に挿通されている。円筒部１４には軸方向（上下方向）に貫通孔１４ａが形成されている。このため、貫通孔１４ａ内は大気圧に保たれる。基底部１５は環状に形成されており、円筒部１４の下端に配置されている。即ち、基底部１５はケース１の内部に位置している。基底部１５の上面は円筒部１４の軸方向と略直交している。基底部１５の外径は、開口１１の径より大きい。円筒部１４と基底部１５は同心円状に配置されている。基底部１５の下面中央には、凹所１５ａが形成されている。凹所１５ａの中心と貫通孔１４ａは連通しており、凹所１５ａ内は大気圧に保たれる。固定部１６は環状に形成されており、円筒部１４の上端に配置されている。即ち、固定部１６はケース１の外部に位置している。かしめ端子５は、固定部１６によりケース上壁９に固定されている。かしめ端子５がケース上壁９に固定される前は、固定部１６は円筒部１４の軸方向に延びている。即ち、円筒部１４と固定部１６は、軸方向に延びる１つの円筒状の部分を構成している（以下、当該部分を円筒部分という）。なお、円筒部１４が「柱状部」の一例に相当する。【００２３】
かしめ端子５をケース上壁９に固定する際には、絶縁部材３６（後述）、板材４０（後述）及びシール部材１９（後述）の各開口に円筒部分を挿通してこれらの部材を基底部１５の上面に配置する。そして、円筒部分をケース１の内部から開口１１、ガスケット６２の開口及び外部端子６０の開口に挿通する。その後、円筒部分の上部（ケース１の外部に突出している部分）を軸直方向外側に屈曲させて押し広げる。これにより、当該円筒部分は外部端子６０の上面に当接し、かしめ端子５がケース上壁９にかしめ固定される。当該円筒部分（即ち、円筒部分のうち屈曲された部分）が固定部１６に相当する。かしめ端子５をケース上壁９に固定することで、シール部材１９、絶縁部材３６、ガスケット６２及び外部端子６０がかしめ端子５とケース上壁９との間に挟持される。このとき、ケース上壁９と基底部１５と固定部１６は互いに略平行となっている。ガスケット６２により、外部端子６０とケース上壁９との絶縁性が確保される。【００２４】
次に、図２を参照して、かしめ端子５とケース上壁９との間に配置されている部材について説明する。図２の矢印Ａは、ケース１の外側から内側に向かう方向を示す。以下では、矢印Ａが示す方向を「ケース内部側」と称し、矢印Ａが示す方向と反対の方向を「ケース外部側」と称する。これは、その他の実施例及び変形例でも同様とする。かしめ端子５とケース上壁９との間には、環状の絶縁性のシール部材１９が配置されている。シール部材１９は、円筒部１４の周囲を一巡している。シール部材１９にはパーフルオロアルコキシアルカン（ＰＦＡ）が用いられる。シール部材１９は、肉厚部１９ａと肉薄部１９ｂを有する。肉厚部１９ａは、シール位置Ｓ１（図２に太線で示す。以下、他のシール位置も同様に太線で示している）において、ケース上壁９と、円筒部１４及び基底部１５に当接している。具体的には、肉厚部１９ａは、ケース上壁９と円筒部１４、及びケース上壁９と基底部１５とによって圧縮されており、圧縮時の反発力によりケース上壁９とかしめ端子５との間をシールしている。シール位置Ｓ１が占める範囲のうちケース上壁９を平面視したときにケース上壁９と基底部１５とが重なる範囲では、基底部１５の上面に、上方に（即ち、ケース上壁９側に）延びる突起１７が形成されている。突起１７は、円筒部１４の周囲を一巡している。突起１７は、肉厚部１９ａに当接しており、ケース上壁９（厳密には、突起１７と対向する部分のケース上壁９）と共に肉厚部１９ａを圧縮している。ケース上壁９と突起１７との間隔は、突起１７を除くシール位置Ｓ１におけるケース上壁９とかしめ端子５との間隔よりも短い。このため、突起１７が当接している部分における肉厚部１９ａの圧縮率は、突起１７を除くシール位置Ｓ１における肉厚部１９ａの圧縮率よりも高い。本実施例では、突起１７が当接している部分において、肉厚部１９ａは約５０％圧縮されている。シール部材１９は絶縁材料によって形成されているため、ケース上壁９とかしめ端子５との絶縁性は維持される。シール部材１９のケース内部側の端部には、肉厚部１９ａよりも厚みが薄い肉薄部１９ｂが形成されている。肉薄部１９ｂの上面はケース上壁９と当接しており、下面は後述する絶縁部材３６の肉薄部３６ａと当接している。なお、シール部材１９の材料は上記に限られず、シール性、絶縁性及び耐電解液性を有する材料（例えば、エチレンプロピレンジエンゴム（ＥＰＤＭ）などのエチレン−プロピレン系ゴム（ＥＰＭ））であればよい。なお、シール部材１９が「第１シール部材」の一例に相当し、肉厚部１９ａが「第１シール部分」の一例に相当し、突起１７が「第２突起」の一例に相当する。【００２５】
肉厚部１９ａよりもケース内部側には、環状の絶縁部材３６が配置されている。絶縁部材３６には、ポリフェニレンサルファイド（ＰＰＳ）が用いられる。絶縁部材３６は、円筒部１４の周囲を一巡している。絶縁部材３６のケース外部側の端部には、上下方向の厚みが薄い肉薄部３６ａが形成されている。肉薄部３６ａの下面は、基底部１５に当接しており、肉薄部３６ａの上下方向の厚みは、ケース上壁９とかしめ端子５との間隔よりも短い。ケース上壁９と肉薄部３６ａとが対向する空間には、シール部材１９の肉薄部１９ｂが配置されている。肉薄部１９ｂは、シール位置Ｓ２においてケース上壁９と肉薄部３６ａの双方と当接している。肉薄部１９ｂは、シール位置Ｓ２においてケース上壁９と肉薄部３６ａとによって圧縮されており、圧縮時の反発力によりケース上壁９と肉薄部３６ａとの間をシールしている。シール位置Ｓ２が占める範囲では、肉薄部３６ａの上面に、上方に（即ち、肉薄部１９ｂ側に）延びる突起３７が形成されている。突起３７は、円筒部１４の周囲を一巡している。突起３７は、肉薄部１９ｂに当接しており、ケース上壁９（厳密には、突起３７と対向する部分のケース上壁９）と共に肉薄部１９ｂを圧縮している。ケース上壁９と突起３７との間隔は、突起３７を除くシール位置Ｓ２におけるケース上壁９と肉薄部３６ａとの間隔よりも短い。このため、突起３７が当接している部分における肉薄部１９ｂの圧縮率は、突起３７を除くシール位置Ｓ２における肉薄部１９ｂの圧縮率よりも高い。本実施例では、突起３７が当接している部分において、肉薄部１９ｂは約３０％圧縮されている。即ち、突起３７よりもケース外部側（より詳細には、円筒部１４側）に位置している突起１７による肉厚部１９ａの圧縮率（約５０％）のほうが、突起３７による肉薄部１９ｂの圧縮率（約３０％）よりも高い。なお、絶縁部材３６が「第１絶縁部材」の一例に相当し、肉薄部３６ａと当接している部分の肉薄部１９ｂが「第２シール部分」の一例に相当し、突起３７が「第１突起」の一例に相当する。【００２６】
絶縁部材３６のうち肉薄部３６ａよりケース内部側には、上下方向の厚みが厚い肉厚部３６ｂが形成されている。肉厚部３６ｂはケース上壁９と基底部１５の双方に当接している。肉厚部３６ｂにより、ケース上壁９と基底部１５との間の間隔が決定される。即ち、肉厚部３６ｂはスペーサの役割を果たす。肉薄部１９ｂと肉薄部３６ａは、全周に亘って、軸直方向に長さｗ１だけ当接している。別言すれば、シール位置Ｓ２の軸直方向の長さは全周に亘ってｗ１である。一方、肉厚部１９ａのケース内部側の端面と肉薄部３６ａのケース外部側の端面との間には、軸直方向の長さがｗ２となる隙間が、円筒部１４の周囲を一巡するように形成されている。また、肉薄部１９ｂのケース内部側の端面と肉厚部３６ｂのケース外部側の端面との間には、軸直方向の長さがｗ３となる隙間が、円筒部１４の周囲を一巡するように形成されている。ｗ１とｗ２の間にはｗ１＞ｗ２の関係が成立し、ｗ１とｗ３の間にはｗ１＞ｗ３の関係が成立する。また、ｗ１＞ｗ２＋ｗ３の関係が成立する。【００２７】
絶縁部材３６のうち肉厚部３６ｂよりさらにケース内部側には、上下方向の厚みが薄い肉薄部３６ｃが形成されている。肉薄部３６ｃは、基底部１５の上面をケース内部側に向かって延びてから下方に屈曲して、基底部１５の外周面を覆うと共に、破断板３４（後述）と略同一の高さまで延びている。絶縁部材３６（厳密には肉薄部３６ｃ）の下端面は、絶縁部材３９と当接している。絶縁部材３９は、ＰＰＳにより形成されている。絶縁部材３９は破断板３４の下面の外周部を全周に亘って覆っている。絶縁部材３６、３９の外周面には、環状の金属製の板材４０が配置され、板材４０はかしめられることで絶縁部材３６、３９に固定されている。これにより、基底部１５、変形板３２（後述）及び破断板３４（後述）が上下方向に挟持固定される。絶縁部材３６、３９により、板材４０と、基底部１５、変形板３２及び破断板３４との絶縁性が維持される。なお、絶縁部材３６の材料は上記に限られず、絶縁性と耐電解液性を有し、荷重支持に必要な強度特性に優れた材料（例えばポリエーテルエーテルケトン（ＰＥＥＫ））が用いられてもよい。【００２８】
ケース上壁９と基底部１５とが対向する空間のうち、ケース上壁９を平面視したときに固定部１６と重なる範囲の空間を空間１８とすると、空間１８は、円筒部１４の周囲を一巡している。空間１８には、シール位置Ｓ１のケース内部側の一部及びシール位置Ｓ２が位置している。また、突起１７、３７は空間１８に位置している。【００２９】
ケース上壁９とかしめ端子５との間の空間のうち、シール部材１９の肉厚部１９ａよりもケース内部側の空間を空間２０とすると、空間２０は、円筒部１４の周囲を一巡する円筒形状を有している。空間２０の内周面２０ａは、シール部材１９の肉厚部１９ａと肉薄部１９ｂの境界に位置しており、空間２０の外周面２０ｂは、基底部１５の外周面の位置に位置している。空間２０には、平面方向（即ち、円筒部１４の軸方向と略直交する平面方向）の全体に（即ち、空間２０の内周面２０ａから外周面２０ｂまで）、シール部材１９の肉薄部１９ｂと絶縁部材３６の少なくとも一方が配置されている。なお、空間２０は「第１空間」の一例に相当し、内周面２０ａは「ケース外部側の端面」の一例に相当し、外周面２０ｂは「ケース内部側の端面」の一例に相当する。【００３０】
次に、電流遮断装置３０について説明する。電流遮断装置３０は、金属製の変形板３２と、金属製の破断板３４を備えている。変形板３２の外周部は、基底部１５の下面の外周部と接続されており、基底部１５の凹所１５ａの下端は変形板３２により覆われている。凹所１５ａ内は大気圧に保たれているため、変形板３２の上面には大気圧が作用する。上述したように、基底部１５、変形板３２及び破断板３４は、環状の絶縁部材３６、３９を介して、板材４０により挟持固定されている。変形板３２は、円形の導電性のダイアフラムであり、下方に凸となっている。変形板３２の中央部は破断板３４と接続されている。破断板３４は円形の板材であり、変形板３２の下方に位置している。破断板３４には接続端子２３が接続されている。破断板３４の下面の中央部には溝部３４ａが形成されている。溝部３４ａの内側で破断板３４と変形板３２の中央部とが接続されている。溝部３４ａが形成された位置における破断板３４の機械的強度は、溝部３４ａ以外の位置における破断板３４の機械的強度よりも低い。破断板３４には通気孔３４ｂが形成されており、変形板３２と破断板３４との間の空間４６がケース１内の空間と連通している。また、変形板３２の外周部と破断板３４の外周部との間には環状の絶縁部材３８が配置されている。【００３１】
電流遮断装置３０は、接続端子２３と、破断板３４と、変形板３２と、かしめ端子５とを直列につなぐ通電経路を有している。このため、電極組立体３とかしめ端子５は、電流遮断装置３０の通電経路を介して電気的に接続されている。【００３２】
ここで、電流遮断装置３０の遮断動作について説明する。上述した蓄電装置１００においては、かしめ端子５とかしめ端子７の間が通電可能な状態となっている。ケース１内の圧力が上昇すると、通気孔３４ｂを介して変形板３２の下面に作用する圧力が上昇する。一方、変形板３２の上面には大気圧が作用する。このため、ケース１の内圧が上昇して、第１所定値よりも大きい第２所定値に達すると、変形板３２が反転して、上方に凸の状態に変化する。すると、変形板３２の中央部に接続されていた破断板３４が、機械的に脆弱な溝部３４ａを起点に破断する。これによって、破断板３４と変形板３２とを接続する通電経路が遮断され、電極組立体３とかしめ端子５との間の通電が遮断される。このとき、変形板３２は接続端子２３から絶縁されると共に、破断板３４はかしめ端子５から絶縁される。【００３３】
実施例１の蓄電装置１００の作用効果について説明する。上記の蓄電装置１００では、かしめ端子５とケース上壁９との間の空間が、シール部材１９の肉厚部１９ａによって、シール位置Ｓ１においてシールされている。このため、ケース１内の電解液が肉厚部１９ａよりもケース外部の空間に漏出することが抑制される。また、空間２０には、平面方向の全体にシール部材１９の肉薄部１９ｂと絶縁部材３６の少なくとも一方が配置されている。このため、空間２０ではかしめ端子５とケース上壁９とが直接対向することがない。従って、空間２０に電解液が存在する状態でかしめ端子５とケース上壁９との間に高電圧が印加されても、かしめ端子５とケース上壁９とが短絡することを抑制することができる。【００３４】
特に、本実施例では、ケース上壁９と絶縁部材３６の肉薄部３６ａとの間の空間が、シール部材１９の肉薄部１９ｂによって、シール位置Ｓ２においてシールされている。このため、ケース上壁９と絶縁部材３６の肉厚部３６ｂとの間の僅かな隙間を伝ってケース外部側に流れる電解液と、絶縁部材３６と基底部１５との間の僅かな隙間を伝ってケース外部側に流れる電解液とが接触することが抑制される。従って、空間２０においてかしめ端子５とケース上壁９とが電解液を介して接触することが抑制され、かしめ端子５とケース上壁９との短絡をより抑制することができる。【００３５】
さらに、本実施例では、肉薄部３６ａの上面に、シール位置Ｓ２が占める範囲において突起３７が形成されており、突起３７は肉薄部１９ｂと当接している。このため、肉薄部１９ｂのシール力は、突起３７が当接している部分において増大し、電解液が肉薄部１９ｂとケース上壁９及び／又は肉薄部１９ｂと肉薄部３６ａとの間を伝ってケース外部側に流出することをより抑制することができる。また、突起３７が当接している部分における肉薄部１９ｂの圧縮率は、突起３７を除くシール位置Ｓ２における肉薄部１９ｂの圧縮率よりも高い。即ち、シール位置Ｓ２における肉薄部１９ｂの圧縮率は、突起３７と当接している部分において局所的に高くなっている。このため、肉薄部１９ｂが、シール位置Ｓ２の全体に亘って、突起３７と当接している部分における圧縮率と同程度まで圧縮される構成と比較して、かしめ端子５をケース上壁９に固定する際の肉薄部１９ｂの反発力を低減できる。この構成によると、ケース上壁９と肉薄部３６ａとの間のシール力を高めながら、かしめ端子５をケース上壁９に比較的に容易にかしめ固定できる。【００３６】
また、本実施例では、シール位置Ｓ１が占める範囲のうちケース上壁９と基底部１５とが対向している範囲において、基底部１５に突起１７が形成されており、突起１７は肉厚部１９ａと当接している。このため、肉厚部１９ａのシール力は、突起１７が当接している部分において増大し、電解液がケース外部の空間に漏出することをより抑制できる。また、突起１７が当接している部分における肉厚部１９ａの圧縮率は、突起１７を除くシール位置Ｓ１における肉厚部１９ａの圧縮率よりも高い。即ち、シール位置Ｓ１における肉厚部１９ａの圧縮率は、突起１７と当接している部分において局所的に高くなっている。このため、肉厚部１９ａが、シール位置Ｓ１の全体に亘って、突起１７と当接している部分における圧縮率と同程度まで圧縮される構成と比較して、かしめ端子５をケース上壁９に固定する際の肉厚部１９ａの反発力を低減できる。この構成によると、ケース上壁９とかしめ端子５との間のシール力を高めながら、かしめ端子５をケース上壁９に比較的に容易にかしめ固定できる。【００３７】
また、一般に、かしめ端子５をケース上壁９にかしめ固定する際のシール部材１９の反発力は、かしめ固定時のシール部材１９の圧縮率が同じ場合は、円筒部１４に近接するにつれて小さくなる。本実施例では、突起３７よりも円筒部１４側に位置している突起１７による肉厚部１９ａの圧縮率のほうが、突起３７による肉薄部１９ｂの圧縮率よりも高い。このため、突起１７による肉厚部１９ａのシール力を、突起３７による肉薄部１９ｂのシール力よりも増大させながら、かしめ固定時のシール部材１９の反発力が増大することを抑制することができる。また、本実施例では、シール部材１９をより高い圧縮率で圧縮する突起１７が突起３７よりもケース外部側に位置しているため、電解液の漏出が２段階に亘って抑制される。従って、電解液の漏出抑制効果を向上させることができる。【００３８】
また、本実施例では、空間１８に、シール位置Ｓ１のケース内部側の一部が位置している。即ち、シール位置Ｓ１のケース内部側の一部は、ケース上壁９を平面視した状態でかしめ端子５とケース上壁９とが重なる範囲で、かつ、固定部１６が占める範囲に位置している。このため、固定部１６がケース上壁９に及ぼす荷重の方向と、かしめ端子５とケース上壁９とをシールするための圧縮力の方向とが同一となり、シール位置Ｓ１のケース内部側の一部においてかしめ端子５とケース上壁９との間を強固にシールできる。特に、本実施例では、空間１８にシール位置Ｓ２も位置している。このため、シール位置Ｓ２においても、ケース上壁９と絶縁部材３６の肉薄部３６ａとの間を強固にシールできる。さらに、空間１８には突起１７、３７も位置している。このため、突起１７、３７と当接している部分におけるシール部材１９のシール力をさらに増大させることができる。【００３９】
なお、複数の蓄電装置１００を備えた蓄電装置モジュールでは、各蓄電装置１００が直列に接続され、所望の電圧が得られるまで直列に接続される。これにより、高出力で大容量の蓄電装置モジュールを構成することができる。このような蓄電装置モジュールでは、各蓄電装置１００において、かしめ端子５とケース上壁９との間に高電圧が印加され易い。このため、蓄電装置モジュールを構成する各蓄電装置１００において本実施例の構成を採用することで、短絡の可能性を効果的に低減することができる。
【実施例２】
【００４０】
次に、図３を参照して実施例２について説明する。以下では、実施例１と相違する点についてのみ説明し、実施例１と同一の構成についてはその詳細な説明を省略する。その他の実施例及び変形例でも同様である。図３の二点鎖線部３００ａは、図１の二点鎖線部２００ａに相当する。円筒部１４とケース上壁９との間、及び固定部１６とケース上壁９との間には、シール部材１１９が配置されている。シール部材１１９は、シール位置Ｓ５において、円筒部１４及び固定部１６とケース上壁９に当接しており、これらの間をシールしている。シール位置Ｓ５が占める範囲のうちケース上壁９を平面視したときに固定部１６とケース上壁９とが重なる範囲では、ケース上壁９の上面に、上方に（即ち、固定部１６側に）延びると共に、円筒部１４の周囲を一巡する突起１０が形成されている。突起１０は、固定部１６と共にシール部材１１９を圧縮している。ケース上壁９と固定部１６とが対向する空間を空間１１８とすると、空間１１８には、シール位置Ｓ５のケース外部側の一部（より具体的には、突起１０）が位置している。なお、シール部材１１９が「第１シール部材」の一例に相当し、シール部材１１９のうち円筒部１４及び固定部１６とケース上壁９との間に位置している部分のシール部材１１９が「第１シール部分」の一例に相当し、突起１０が「第２突起」の一例に相当する。【００４１】
シール部材１１９よりもケース内部側には、絶縁部材１３６が配置されている。絶縁部材１３６のケース外部側の端部には肉薄部１３６ａが形成されている。肉薄部１３６ａは、軸直方向にｗ４の長さだけシール部材１１９と当接している。一方、シール部材１１９と絶縁部材１３６との間には、軸直方向の長さがｗ５の隙間が周方向に亘って形成されている。ｗ４とｗ５との間にはｗ４＞ｗ５の関係が成立する。かしめ端子５とケース上壁９との間の空間のうち、シール位置Ｓ５よりもケース内部側の空間を空間１２０とすると、空間１２０には、平面方向の全体に、シール部材１１９と絶縁部材１３６の少なくとも一方が配置されている。なお、絶縁部材１３６が「第１絶縁部材」の一例に相当し、空間１２０が「第１空間」の一例に相当する。【００４２】
この構成によると、空間１２０ではかしめ端子５とケース上壁９とが直接対向することがないため、両者が短絡することを抑制できる。また、突起１０を形成することにより、シール部材１１９がかしめ端子５とケース上壁９との間をシールするシール力を増大でき、電解液がケース外部の空間に漏出することをより抑制できる。また、シール部材１１９を突起１０により局所的に圧縮することにより、シール部材１１９をシール位置Ｓ５の全体において圧縮する構成と比較して、シール力を高めながら、かしめ端子５をケース上壁９に比較的に容易にかしめ固定できる。また、シール位置Ｓ５のケース外部側の一部は空間１１８に位置しているため、シール位置Ｓ５のケース外部側の一部においてかしめ端子５とケース上壁９との間を強固にシールできる。特に、本実施例では空間１１８に突起１０が位置しているため、突起１０と当接している部分におけるシール部材１１９のシール力をさらに増大させることができる。
【実施例３】
【００４３】
次に、図４を参照して実施例３について説明する。図４の二点鎖線部４００ａは、図１の二点鎖線部２００ａに相当する。この蓄電装置では、電流遮断装置の構成が実施例１と異なっており、それ以外の構成は実施例１と同様である。【００４４】
電流遮断装置７０は、金属製の第１変形板７５と、金属製の破断板７３と、金属製の第２変形板７１を備えている。基底部１５、第１変形板７５、破断板７３及び第２変形板７１は、絶縁性の絶縁部材３６、７８により支持されている。絶縁部材３６、７８の外周面には、金属製の板材７９がかしめられている。これにより、基底部１５、第１変形板７５、破断板７３及び第２変形板７１が上下方向に挟持される。【００４５】
第２変形板７１は、破断板７３の下方に配置されており、その中央部が下方に突出している。第２変形板７１の上面の外周部には絶縁部材８１が配置されている。また、第２変形板７１の上面中央には、上方に突出する突出部８３が設けられている。突出部８３の上方には破断板７３の中央部７３ｂ（溝部７３ａに囲まれた部分）が位置している。第２変形板７１の下面にはケース１内の空間の圧力が作用する。第２変形板７１の上面には、第２変形板７１と破断板７３の間の空間８６の圧力が作用する（後述）。空間８６はケース１内の空間からシールされている。【００４６】
破断板７３は、第２変形板７１と第１変形板７５の間に配置されている。破断板７３は、溝部７３ａによって、溝部７３ａに囲まれた中央部７３ｂと、溝部７３ａの外周側に位置する外周部７３ｃに区分されている。中央部７３ｂの板厚は薄く、外周部７３ｃの板厚は厚くされている。破断板７３には通気孔７３ｄが形成されている。空間８６は、通気孔７３ｄを介して第１変形板７５と破断板７３との間の空間８８と連通している。【００４７】
第１変形板７５は、破断板７３の上方に配置されている。第１変形板７５は、実施例１の変形板３２と略同一の構成を有する。第１変形板７５と破断板７３の間には、絶縁部材８５が配置されている。第１変形板７５の上面と基底部１５の下面との間には空間８７が形成されている。空間８７は、大気圧に保たれている。破断板７３と基底部１５の外周部との間にはシール部材８９が配置されており、基底部１５と破断板７３との隙間をシールしている。【００４８】
電流遮断装置７０は、接続端子２３と、破断板７３と、第１変形板７５と、かしめ端子５とを直列につなぐ通電経路を有している。このため、電極組立体３とかしめ端子５は、電流遮断装置７０の通電経路を介して電気的に接続されている。【００４９】
ここで、電流遮断装置７０の遮断動作について説明する。上述した蓄電装置ではかしめ端子５とかしめ端子７の間が通電可能な状態となっている。ケース１の内圧が上昇すると、第２変形板７１の下面に作用する圧力が上昇する。一方、第２変形板７１の上面には、ケース１内の空間からシールされた空間８６の圧力が作用する。このため、ケース１内の圧力が第３所定値を超えると、第２変形板７１が反転して、下方に凸の状態から上方に凸の状態に変化する。このとき、空間８６内の空気は通気孔７３ｄを通って空間８８に移動し、空間８８内の圧力が上昇する。また、第２変形板７１が反転すると、第２変形板７１の突出部８３が破断板７３の中央部７３ｂに衝突し、破断板７３が溝部７３ａで破断する。これにより、第１変形板７５が反転し、第１変形板７５及び破断板７３の中央部７３ｂが上方に変位する。このため、破断板７３と第１変形板７５を接続する通電経路が遮断され、電極組立体３とかしめ端子５との間の導通が遮断される。このとき、第１変形板７５は接続端子２３から絶縁されると共に、破断板７３はかしめ端子５から絶縁されている。本実施例では、電流遮断装置７０が動作した後であっても、空間２０の全体にシール部材１９の一部及び絶縁部材３６が配置される。この構成によっても、実施例１の蓄電装置１００と同様の作用効果を奏することができる。なお、上記の電流遮断装置７０は、その他の実施例及び変形例の蓄電装置に取付けられてもよい。
【実施例４】
【００５０】
次に、図５を参照して実施例４について説明する。図５の二点鎖線部５００ａは、図１の二点鎖線部２００ａに相当する。この蓄電装置では、負極端子２０５の構成が実施例１と異なっている。負極端子２０５は円筒部２１４と基底部２１５を有する。負極端子２０５をケース上壁９に固定する際には、円筒部２１４を絶縁部材３６、板材４０及びシール部材１９の各開口に挿通した状態で、円筒部２１４をケース１の内部からケース上壁９の開口１１に挿通する。そして、ケース１の外部から環状の絶縁部材２２を円筒部２１４に取付けて、ケース上壁９に当接させる。その後、ケース１の外部からナット２１を円筒部２１４に締結する。これにより、負極端子２０５がケース上壁９に固定されると共に、シール部材１９及び絶縁部材３６がケース上壁９と基底部２１５との間に挟持される。負極端子２０５には軸方向（上下方向）に貫通孔２１４ａが形成されている。バスバーボルト４７は、貫通孔２１４ａに取付けられる。バスバーボルト４７の頭部と負極端子２０５の間にはバスバー４９が配置されている。バスバーボルト４７が貫通孔２１４ａに取付けられると、バスバー４９がバスバーボルト４７の頭部と負極端子２０５によって挟持される。なお、負極端子２０５が「端子」の一例に相当する。【００５１】
シール位置Ｓ１が占める範囲のうちケース上壁９と基底部２１５とが対向している範囲では、基底部２１５の上面に突起２１７が形成されている。突起２１７は、実施例１の突起１７と略同一の構成を有する。ケース上壁９と基底部２１５とが対向する空間のうち、ケース上壁９を平面視したときにナット２１と重なる範囲の空間を空間２１８とすると、空間２１８には、シール位置Ｓ１のケース内部側の一部及びシール位置Ｓ２が位置している。突起２１７、３７は空間２１８に位置している。負極端子２０５とケース上壁９との間の空間のうち、肉厚部１９ａよりもケース内部側の空間を空間２２０とすると、空間２２０には、平面方向の全体に、肉薄部１９ｂと絶縁部材３６の少なくとも一方が配置されている。この構成によっても、実施例１の蓄電装置１００と同様の作用効果を奏することができる。また、本実施例では、空間２１８にシール位置Ｓ１の一部が位置している。これにより、ナット２１がケース上壁９に及ぼす締め付け力の方向と、ケース上壁９と基底部２１５とをシールするための圧縮力の方向とが同一となり、シール位置Ｓ１の一部においてケース上壁９と基底部２１５との間を強固にシールできる。特に、本実施例では、空間２１８にシール位置Ｓ２も位置しているため、ケース上壁９と絶縁部材３６との間を強固にシールできる。さらに、空間２１８には突起２１７、３７も位置しているため、突起２１７、３７と当接している部分におけるシール部材１９のシール力をさらに増大できる。なお、突起２１７が「第２突起」の一例に相当し、空間２２０が「第１空間」の一例に相当する。
【実施例５】
【００５２】
次に、図６を参照して実施例５について説明する。図６の二点鎖線部６００ａは、図１の二点鎖線部２００ａに相当する。本実施例では、シール部材１９の代わりに、円筒部１４の周囲を一巡する２つのシール部材３１９、３２１が配置されている。シール部材３１９はＰＦＡにより形成されており、シール部材３２１はポリテトラフルオロエチレン（ＰＴＦＥ）により形成されている。シール部材３１９は、シール位置Ｓ６においてケース上壁９とかしめ端子５との間をシールしている。シール位置Ｓ６が占める範囲のうち、ケース上壁９を平面視したときにケース上壁９と基底部１５とが重なる範囲には、基底部１５の上面に突起１７が形成されている。シール部材３１９は、突起１７により約５０％圧縮されている。シール部材３１９よりもケース内部側には、基底部１５の上面に、絶縁部材３６が配置されている。絶縁部材３６の肉薄部３６ａは、シール部材３１９と当接している。ケース上壁９と肉薄部３６ａとが対向する空間には、シール位置Ｓ７においてケース上壁９と肉薄部３６ａとの間をシールするシール部材３２１が配置されている。シール位置Ｓ７が占める範囲では、肉薄部３６ａの上面に、突起３７が形成されている。シール部材３２１は、突起３７により約３０％圧縮されている。なお、シール部材３１９が「第２シール部材」の一例に相当し、シール部材３２１が「第３シール部材」かつ「第４シール部分」の一例に相当し、絶縁部材３６が「第２絶縁部材」の一例に相当する。【００５３】
ケース上壁９と基底部１５とが対向する空間のうち、ケース上壁９を平面視したときに固定部１６と重なる空間を空間３１８とすると、空間３１８には、シール位置Ｓ６のケース内部側の一部及びシール位置Ｓ７が位置している。突起１７、３７は空間３１８に位置している。また、かしめ端子５とケース上壁９との間の空間のうち、シール位置Ｓ６よりもケース内部側の空間を空間３２０とすると、空間３２０には、平面方向の全体に、シール部材３２１と絶縁部材３６の少なくとも一方が配置されている。この構成によっても、実施例１の蓄電装置１００と同様の作用効果を奏することができる。また、本実施例では、突起１７が当接するシール部材（即ち、シール部材３１９）と、突起３７が当接するシール部材（即ち、シール部材３２１）が異なっている。このため、シール部材３１９、３２１をそれぞれ異なる材料により形成でき、シール部材３１９、３２１の各圧縮率を容易に調整することができる。なお、空間３２０が「第２空間」の一例に相当する。
【実施例６】
【００５４】
次に、図７を参照して実施例６について説明する。図７の二点鎖線部７００ａは、図１の二点鎖線部２００ａに相当する。実施例６の蓄電装置は、突起１７の代わりに突起４１０が形成されている点で実施例２の蓄電装置と異なっている。即ち、本実施例では、シール位置Ｓ１が占める範囲のうちケース上壁９を平面視したときにケース上壁９と基底部１５とが重なる範囲では、ケース上壁９の下面に、下方に延びる突起４１０が形成されている。突起４１０は、円筒部１４の周囲を一巡している。突起４１０は、肉厚部１９ａに当接しており、基底部１５（厳密には、突起４１０と対向する部分の基底部１５）と共に肉厚部１９ａを圧縮している。突起４１０が当接している部分における肉厚部１９ａの圧縮率は、突起４１０を除くシール位置Ｓ１における肉厚部１９ａの圧縮率よりも高い。本実施例では、突起４１０が当接している部分において、肉厚部１９ａは約５０％圧縮されている。また、実施例１で述べたように、シール位置Ｓ２が占める範囲では、肉薄部３６ａの上面に、上方に延びる突起３７が形成されている。本実施例では、突起３７が当接している部分において、肉薄部１９ｂは約３０％圧縮されている。即ち、突起３７よりもケース外部側（即ち、円筒部１４側）に位置している突起１７による肉厚部１９ａの圧縮率（約５０％）のほうが、突起３７による肉薄部１９ｂの圧縮率（約３０％）よりも高い。この構成によっても、実施例１と同様の作用効果を奏することができる。また、突起４１０を基底部１５側ではなくケース上壁９側に形成することにより、突起４１０を、「シール位置Ｓ１が占める範囲のうちケース上壁９を平面視したときにケース上壁９と基底部１５とが重なる範囲」により容易に配置させることができる。【００５５】
以上、本明細書が開示する技術の実施例について詳細に説明したが、これらは例示に過ぎず、本明細書が開示する蓄電装置は、上記の実施例を様々に変形、変更したものが含まれる。例えば、空間２０にシール部材１９と絶縁部材３６の少なくとも一方が配置される構成であれば、ケース上壁９と絶縁部材３６（厳密には肉薄部３６ａ）との間はシールされなくてもよい。【００５６】
また、突起１７、３７は形成されなくてもよいし、突起１７又は突起３７のどちらか一方のみが形成される構成であってもよい。また、突起３７は、絶縁部材３６に形成される構成に限られず、例えばケース上壁９及び／又はかしめ端子５、７に形成されてもよい。ケース上壁９及びかしめ端子５、７は剛性の高い金属製であるため、これらの部材に突起３７を形成しても、シール部材１９を適切に圧縮することができる。また、突起１７、３７は、それぞれ複数形成されてもよい。また、突起１７、３７によるシール部材１９の圧縮率は、上記の実施例に挙げた割合に限られない。例えば、円筒部１４側に位置している突起（即ち、突起１７）による肉厚部１９ａの圧縮率は約３０〜約８０％の範囲で調整されてもよいし、円筒部１４から離間した位置に位置している突起（即ち、突起３７）による肉薄部１９ｂの圧縮率は約０〜約５０％の範囲で調整されてもよい。また、円筒部１４側に位置している突起による肉厚部１９ａの圧縮率よりも、円筒部１４から離間した位置に位置している突起による肉薄部１９ｂの圧縮率のほうが大きくてもよい。【００５７】
また、シール部材１９の肉薄部１９ｂは、ケース上壁９と絶縁部材３６の肉薄部３６ａとの間をシールする構成に限られず、基底部１５と肉薄部３６ａとの間をシールする構成であってもよい。また、シール部材３２１は、基底部１５と肉薄部３６ａとの間をシールする構成であってもよい。【００５８】
また、実施例３において、絶縁部材８１は配置されなくてもよい。また、第１変形板７５に、空間８７と空間８８とを連通する連通孔を形成し、空間８６、８８を大気圧に維持してもよい。【００５９】
また、実施例５では、シール部材３１９のケース内部側の端部に肉薄部３１９ａが形成されてもよい。肉薄部３１９ａは、ケース上壁９と絶縁部材３６の肉薄部３６ａとの間に配置され、両者の間をシールしてもよい。この場合、空間３２０に、肉薄部３１９ａ、シール部材３１９及び絶縁部材３６の少なくともいずれかが配置されることになり、空間３２０においてケース上壁９と基底部１５とが直接対向することを抑制できる。【００６０】
また、電流遮断装置３０は、かしめ端子７側に設けられてもよいし、かしめ端子５とかしめ端子７の双方に設けられてもよい。かしめ端子７側に電流遮断装置３０が設けられる場合は、かしめ端子７とケース上壁９との間に、上記の実施例の構成のようにシール部材及び絶縁部材が配置される。また、上記の実施例では、変形板３２が反転することで破断板３４との導通が遮断される。しかしながら、変形板３２の変形の仕方は反転に限られない。例えば、変形板３２の中央部が上方に撓むことで破断板３４が溝部３４ａを起点に破断し、変形板３２と破断板３４との導通が遮断される構成であってもよい。変形板３２は、変形板３２と破断板３４との導通が遮断されるのであればどのように変形してもよい。第２変形板７５についても同様である。【００６１】
また、上記の実施例では、シール部材１９は、円筒部１４とケース上壁９（厳密には、開口１１）との間の空間に配置されているが、この構成に限られない。例えば、シール部材１９は、ケース上壁９と基底部１５が対向する空間にのみ配置されていてもよい。この場合、円筒部１４と開口１１の間をシールする別のシール部材（以下、シール部材４１９と称する）が円筒部１４と開口１１との間に配置されることが好ましい。シール部材４１９は、ケースの外部から水分や塵等がケース内に進入することを抑制すると共に、開口１１内で円筒部１４を保持する役割を果たす。このように、シール部材１９が、シール部材４１９と別体である場合は、空間２０の平面方向全体に肉薄部１９ｂが配置される構成であれば、シール部材１９のケース内部側に第１絶縁部材が配置されなくてもよい。また、この場合、シール部材４１９とシール部材１９の間の空間に、スペーサとして機能する絶縁部材が配置されてもよい。【００６２】
また、シール部材１９の肉薄部１９ｂと絶縁部材３６の肉薄部３６ａとが当接している部分が、ケース上壁９と基底部１５との間に位置している場合において、当該当接部分は、空間１８よりも径方向外側に位置していてもよい。即ち、突起３７は、空間１８よりも径方向外側に位置していてもよい。【００６３】
以上、本発明の具体例を詳細に説明したが、これらは例示にすぎず、請求の範囲を限定するものではない。請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
2015174165.tif 000003
【図２】
2015174165.tif 000004
【図３】
2015174165.tif 000005
【図４】
2015174165.tif 000006
【図５】
2015174165.tif 000007
【図６】
2015174165.tif 000008
【図７】
2015174165.tif 000009
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
正極電極及び負極電極を備えている電極組立体と、電解液と、が収容可能なケースと、
前記ケースの端子壁に形成された開口を介して前記ケースの内外に通じている端子と、
前記ケース内に収容されており、前記端子と前記正極電極、又は前記端子と前記負極電極に電気的に接続されていると共に、前記端子と前記正極電極又は前記負極電極とを導通状態から非導通状態に切換える導電性部材を有する電流遮断装置と、を備えており、
前記端子は、前記開口に挿通された柱状部と、前記柱状部の一端に配置されており前記ケースの内部に位置する基底部と、を有しており、
前記基底部は、前記端子壁を平面視した状態で前記開口より大きく、かつ、前記導電性部材と電気的に接続されており、
前記端子と前記端子壁との間には、前記端子と前記端子壁の双方と当接することで、前記端子と前記端子壁との間をシールする第１シール部分を有する絶縁性の第１シール部材が配置されており、
前記第１シール部材は前記柱状部の周囲を一巡しており、
前記端子と前記端子壁との間の空間のうち前記第１シール部分よりもケース内部側の第１空間には、前記柱状部の周囲を一巡する絶縁性の第１絶縁部材が配置されており、
前記第１空間には、前記第１空間のケース外部側の端面からケース内部側の端面まで、前記第１シール部材と前記第１絶縁部材の少なくとも一方が配置されている、蓄電装置。
【請求項２】
前記第１シール部材は、前記端子壁と前記端子の一方と前記第１絶縁部材とが前記端子壁を平面視する第１方向で対向する空間において、前記端子壁と前記端子の一方と前記第１絶縁部材の双方と当接することで、前記端子壁と前記端子の一方と前記第１絶縁部材との間をシールする第２シール部分を有する、請求項１に記載の蓄電装置。
【請求項３】
前記第２シール部分が占める範囲では、前記第１絶縁部材と、前記端子壁と、前記端子の少なくとも１つに、前記第１シール部材側に向かって前記第１方向に突出する第１突起が形成されており、
前記第１突起は、前記第１シール部材と当接している、請求項２に記載の蓄電装置。
【請求項４】
前記第１絶縁部材と、前記端子壁と、前記端子の少なくとも１つは、前記第２シール部分と面接触する第１接触面を有しており、
前記第１接触面は、前記第１突起と、前記第１突起よりケース外部側に位置する第１外部側平面部と、前記第１突起よりケース内部側に位置すると共に前記第１外部側平面部と同一平面上に位置する第１内部側平面部を有しており、
前記第１突起は、前記第１外部側及び第１内部側平面部よりも前記第２シール部分に向かって前記第１方向に突出している、請求項３に記載の蓄電装置。
【請求項５】
前記端子壁を平面視したときに、前記第１シール部分が占める範囲のうち前記端子と前記端子壁とが重なる重複範囲では、前記端子又は前記端子壁の一方に、前記端子又は前記端子壁の他方に向かって前記端子壁を平面視する第１方向に突出する第２突起が形成されており、
前記第２突起は、前記第１シール部材と当接している、請求項１〜４のいずれか一項に記載の蓄電装置。
【請求項６】
前記端子と前記端子壁の少なくとも１つは、前記重複範囲における前記第１シール部分と面接触する第２接触面を有しており、
前記第２接触面は、前記第２突起と、前記第２突起よりケース外部側に位置する第２外部側平面部と、前記第２突起よりケース内部側に位置すると共に前記第２外部側平面部と同一平面上に位置する第２内部側平面部を有しており、
前記第２突起は、前記第２外部側及び第２内部側平面部よりも前記重複範囲における前記第１シール部分に向かって前記第１方向に突出している、請求項５に記載の蓄電装置。
【請求項７】
前記第１シール部材は、前記端子壁と前記端子の一方と前記第１絶縁部材とが前記端子壁を平面視する第１方向で対向する空間において、前記端子壁と前記端子の一方と前記第１絶縁部材の双方と当接することで、前記端子壁と前記端子の一方と前記第１絶縁部材との間をシールする第２シール部分を有しており、
前記第２シール部分が占める範囲では、前記第１絶縁部材と、前記端子壁と、前記端子の少なくとも１つに、前記第１シール部材側に向かって前記第１方向に突出する第１突起が形成されており、
前記第１突起は、前記第１シール部材と当接しており、
前記第１突起と前記第２突起のうち、前記端子の前記柱状部に近接している一方の突起と当接している部分における前記第１シール部材の圧縮率は、前記柱状部から離間している他方の突起と当接している部分における前記第１シール部材の圧縮率よりも大きい、請求項５又は６に記載の蓄電装置。
【請求項８】
前記第２シール部分は、前記端子壁と前記第１絶縁部材とが前記第１方向で対向する空間において、前記端子壁と前記第１絶縁部材の双方と当接することで、前記端子壁と前記第１絶縁部材との間をシールする、請求項２に記載の蓄電装置。
【請求項９】
前記第２シール部分が占める範囲では、前記第１絶縁部材に、前記第１シール部材側に向かって前記第１方向に突出する第１突起が形成されており、
前記第１突起は、前記第１シール部材と当接しており、
前記端子壁を平面視したときに、前記第１シール部分が占める範囲のうち前記端子と前記端子壁とが重なる重複範囲では、前記端子壁に、前記端子に向かって前記第１方向に突出する第２突起が形成されており、
前記第２突起は、前記第１シール部材と当接している、請求項８に記載の蓄電装置。
【請求項１０】
前記端子は、前記柱状部の、前記基底部が配置されている側とは反対側に配置されており、前記ケースの外部に位置すると共に前記柱状部の前記反対側より軸直方向外側に屈曲して前記端子を前記端子壁に固定する固定部を有しており、
前記第１シール部分は、前記端子壁を平面視した状態で前記端子と前記端子壁とが重なる範囲で、かつ、前記固定部が占める範囲に位置している、請求項１〜９のいずれか一項に記載の蓄電装置。
【請求項１１】
前記端子は、前記ケースの外部に位置するナットにより前記端子壁に締め付け固定されており、
前記第１シール部分は、前記端子壁を平面視した状態で前記端子と前記端子壁とが重なる範囲で、かつ、前記ナットが占める範囲に位置している、請求項１〜９のいずれか一項に記載の蓄電装置。
【請求項１２】
正極電極及び負極電極を備えている電極組立体と、電解液と、が収容可能なケースと、
前記ケースの端子壁に形成された開口を介して前記ケースの内外に通じている端子と、
前記ケース内に収容されており、前記端子と前記正極電極、又は前記端子と前記負極電極に電気的に接続されていると共に、前記端子と前記正極電極又は前記負極電極とを導通状態から非導通状態に切換える導電性部材を有する電流遮断装置と、を備えており、
前記端子は、前記開口に挿通された柱状部と、前記柱状部の一端に配置されており前記ケースの内部に位置する基底部と、を有しており、
前記基底部は、前記端子壁を平面視した状態で前記開口より大きく、かつ、前記導電性部材と電気的に接続されており、
前記端子と前記端子壁との間には、前記端子と前記端子壁の双方と当接することで、前記端子と前記端子壁との間をシールする第３シール部分を有する絶縁性の第２シール部材が配置されており、
前記第２シール部材は前記柱状部の周囲を一巡しており、
前記端子と前記端子壁との間の空間のうち前記第３シール部分よりもケース内部側の第２空間には、前記柱状部の周囲を一巡する絶縁性の第２絶縁部材が配置されており、
前記端子壁と前記端子の一方と前記第２絶縁部材とが前記端子壁を平面視する第１方向で対向する空間には、前記端子壁と前記端子の一方と前記第２絶縁部材の双方と当接することで、前記端子壁と前記端子の一方と前記第２絶縁部材との間をシールし、前記柱状部の周囲を一巡する第４シール部分を有する絶縁性の第３シール部材が配置されており、
前記第２空間には、前記第２空間のケース外部側の端面からケース内部側の端面まで、前記第２シール部材と、前記第３シール部材と、前記第２絶縁部材の少なくともいずれかが配置されている、蓄電装置。
【請求項１３】
前記端子は、前記柱状部の、前記基底部が配置されている側とは反対側に配置されており、前記ケースの外部に位置すると共に前記柱状部の前記反対側より軸直方向外側に屈曲して前記端子を前記端子壁に固定する固定部を有しており、
前記第３シール部分は、前記端子壁を平面視した状態で前記端子と前記端子壁とが重なる範囲で、かつ、前記固定部が占める範囲に位置している、請求項１２に記載の蓄電装置。
【請求項１４】
前記端子は、前記ケースの外部に位置するナットにより前記端子壁に締め付け固定されており、
前記第３シール部分は、前記端子壁を平面視した状態で前記端子と前記端子壁とが重なる範囲で、かつ、前記ナットが占める範囲に位置している、請求項１２に記載の蓄電装置。
【請求項１５】
請求項１〜１４のいずれかに記載の蓄電装置を複数備え、それら複数の蓄電装置が直列接続されている蓄電装置モジュール。
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
正極電極及び負極電極を備えている電極組立体と、電解液と、が収容可能なケースと、
前記ケースの端子壁に形成された開口を介して前記ケースの内外に通じている端子と、
前記ケース内に収容されており、前記端子と前記正極電極、又は前記端子と前記負極電極に電気的に接続されていると共に、前記端子と前記正極電極又は前記負極電極とを導通状態から非導通状態に切換える導電性部材を有する電流遮断装置と、を備えており、
前記端子は、前記開口に挿通された柱状部と、前記柱状部の一端に配置されており前記ケースの内部に位置する基底部と、を有しており、
前記基底部は、前記端子壁を平面視した状態で前記開口より大きく、かつ、前記導電性部材と電気的に接続されており、
前記端子と前記端子壁との間には、前記端子と前記端子壁の双方と当接することで、前記端子と前記端子壁との間をシールする第１シール部分を有する絶縁性の第１シール部材が配置されており、
前記第１シール部材は前記柱状部の周囲を一巡しており、
前記端子と前記端子壁との間の空間のうち前記第１シール部分よりもケース内部側の第１空間には、前記柱状部の周囲を一巡する絶縁性の第１絶縁部材が配置されており、
前記第１空間には、前記第１空間のケース外部側の端面からケース内部側の端面まで、前記第１シール部材と前記第１絶縁部材の少なくとも一方が配置されている、蓄電装置。
【請求項２】
前記第１シール部材は、前記端子壁と前記端子の一方と前記第１絶縁部材とが前記端子壁を平面視する第１方向で対向する空間において、前記端子壁と前記端子の一方と前記第１絶縁部材の双方と当接することで、前記端子壁と前記端子の一方と前記第１絶縁部材との間をシールする第２シール部分を有する、請求項１に記載の蓄電装置。
【請求項３】
前記第２シール部分が占める範囲では、前記第１絶縁部材と、前記端子壁と、前記端子の少なくとも１つに、前記第１シール部材側に向かって前記第１方向に突出する第１突起が形成されており、
前記第１突起は、前記第１シール部材と当接している、請求項２に記載の蓄電装置。
【請求項４】
前記第１絶縁部材と、前記端子壁と、前記端子の少なくとも１つは、前記第２シール部分と面接触する第１接触面を有しており、
前記第１接触面は、前記第１突起と、前記第１突起よりケース外部側に位置する第１外部側平面部と、前記第１突起よりケース内部側に位置すると共に前記第１外部側平面部と同一平面上に位置する第１内部側平面部を有しており、
前記第１突起は、前記第１外部側及び第１内部側平面部よりも前記第２シール部分に向かって前記第１方向に突出している、請求項３に記載の蓄電装置。
【請求項５】
前記端子壁を平面視したときに、前記第１シール部分が占める範囲のうち前記端子と前記端子壁とが重なる重複範囲では、前記端子又は前記端子壁の一方に、前記端子又は前記端子壁の他方に向かって前記端子壁を平面視する第１方向に突出する第２突起が形成されており、
前記第２突起は、前記第１シール部材と当接している、請求項１〜４のいずれか一項に記載の蓄電装置。
【請求項６】
前記端子と前記端子壁の少なくとも１つは、前記重複範囲における前記第１シール部分と面接触する第２接触面を有しており、
前記第２接触面は、前記第２突起と、前記第２突起よりケース外部側に位置する第２外部側平面部と、前記第２突起よりケース内部側に位置すると共に前記第２外部側平面部と同一平面上に位置する第２内部側平面部を有しており、
前記第２突起は、前記第２外部側及び第２内部側平面部よりも前記重複範囲における前記第１シール部分に向かって前記第１方向に突出している、請求項５に記載の蓄電装置。
【請求項７】
前記第１シール部材は、前記端子壁と前記端子の一方と前記第１絶縁部材とが前記端子壁を平面視する第１方向で対向する空間において、前記端子壁と前記端子の一方と前記第１絶縁部材の双方と当接することで、前記端子壁と前記端子の一方と前記第１絶縁部材との間をシールする第２シール部分を有しており、
前記第２シール部分が占める範囲では、前記第１絶縁部材と、前記端子壁と、前記端子の少なくとも１つに、前記第１シール部材側に向かって前記第１方向に突出する第１突起が形成されており、
前記第１突起は、前記第１シール部材と当接しており、
前記第１突起と前記第２突起のうち、前記端子の前記柱状部に近接している一方の突起と当接している部分における前記第１シール部材の圧縮率は、前記柱状部から離間している他方の突起と当接している部分における前記第１シール部材の圧縮率よりも大きい、請求項５又は６に記載の蓄電装置。
【請求項８】
前記第２シール部分は、前記端子壁と前記第１絶縁部材とが前記第１方向で対向する空間において、前記端子壁と前記第１絶縁部材の双方と当接することで、前記端子壁と前記第１絶縁部材との間をシールする、請求項２に記載の蓄電装置。
【請求項９】
前記第２シール部分が占める範囲では、前記第１絶縁部材に、前記第１シール部材側に向かって前記第１方向に突出する第１突起が形成されており、
前記第１突起は、前記第１シール部材と当接しており、
前記端子壁を平面視したときに、前記第１シール部分が占める範囲のうち前記端子と前記端子壁とが重なる重複範囲では、前記端子壁に、前記端子に向かって前記第１方向に突出する第２突起が形成されており、
前記第２突起は、前記第１シール部材と当接している、請求項８に記載の蓄電装置。
【請求項１０】
前記端子は、前記柱状部の、前記基底部が配置されている側とは反対側に配置されており、前記ケースの外部に位置すると共に前記柱状部の前記反対側より軸直方向外側に屈曲して前記端子を前記端子壁に固定する固定部を有しており、
前記第１シール部分は、前記端子壁を平面視した状態で前記端子と前記端子壁とが重なる範囲で、かつ、前記固定部が占める範囲に位置している、請求項１〜９のいずれか一項に記載の蓄電装置。
【請求項１１】
前記端子は、前記ケースの外部に位置するナットにより前記端子壁に締め付け固定されており、
前記第１シール部分は、前記端子壁を平面視した状態で前記端子と前記端子壁とが重なる範囲で、かつ、前記ナットが占める範囲に位置している、請求項１〜９のいずれか一項に記載の蓄電装置。
【請求項１２】
正極電極及び負極電極を備えている電極組立体と、電解液と、が収容可能なケースと、
前記ケースの端子壁に形成された開口を介して前記ケースの内外に通じている端子と、
前記ケース内に収容されており、前記端子と前記正極電極、又は前記端子と前記負極電極に電気的に接続されていると共に、前記端子と前記正極電極又は前記負極電極とを導通状態から非導通状態に切換える導電性部材を有する電流遮断装置と、を備えており、
前記端子は、前記開口に挿通された柱状部と、前記柱状部の一端に配置されており前記ケースの内部に位置する基底部と、を有しており、
前記基底部は、前記端子壁を平面視した状態で前記開口より大きく、かつ、前記導電性部材と電気的に接続されており、
前記端子と前記端子壁との間には、前記端子と前記端子壁の双方と当接することで、前記端子と前記端子壁との間をシールする第３シール部分を有する絶縁性の第２シール部材が配置されており、
前記第２シール部材は前記柱状部の周囲を一巡しており、
前記端子と前記端子壁との間の空間のうち前記第３シール部分よりもケース内部側の第２空間には、前記柱状部の周囲を一巡する絶縁性の第２絶縁部材が配置されており、
前記端子壁と前記端子の一方と前記第２絶縁部材とが前記端子壁を平面視する第１方向で対向する空間には、前記端子壁と前記端子の一方と前記第２絶縁部材の双方と当接することで、前記端子壁と前記端子の一方と前記第２絶縁部材との間をシールし、前記柱状部の周囲を一巡する第４シール部分を有する絶縁性の第３シール部材が配置されており、
前記第２空間には、前記第２空間のケース外部側の端面からケース内部側の端面まで、前記第２シール部材と、前記第３シール部材と、前記第２絶縁部材の少なくともいずれかが配置されている、蓄電装置。
【請求項１３】
前記端子は、前記柱状部の、前記基底部が配置されている側とは反対側に配置されており、前記ケースの外部に位置すると共に前記柱状部の前記反対側より軸直方向外側に屈曲して前記端子を前記端子壁に固定する固定部を有しており、
前記第３シール部分は、前記端子壁を平面視した状態で前記端子と前記端子壁とが重なる範囲で、かつ、前記固定部が占める範囲に位置している、請求項１２に記載の蓄電装置。
【請求項１４】
前記端子は、前記ケースの外部に位置するナットにより前記端子壁に締め付け固定されており、
前記第３シール部分は、前記端子壁を平面視した状態で前記端子と前記端子壁とが重なる範囲で、かつ、前記ナットが占める範囲に位置している、請求項１２に記載の蓄電装置。
【請求項１５】
請求項１〜１４のいずれかに記載の蓄電装置を複数備え、それら複数の蓄電装置が直列接続されている蓄電装置モジュール。
【国際調査報告】
2015174165.tif 000010
2015174165.tif 000011
2015174165.tif 000012
2015174165.tif 000013